(57)【要約】      （修正有）【課題】簡単に組立てることができ、且つ接触不良を防止するミニメモリカード用変換アダプタを提供する。【解決手段】断面コ字形のベース１０と、該ベースに設けられる回路板２０と、前記回路板の上側に設けられる金属プレート３０と、前記回路板を保護するため該回路板の上側に設けられる上部カバー４０と、を備えるミニメモリカード用変換アダプタであって、前記回路板の上側に位置決めブロック２５と、該金属プレートを位置決めるための位置決め段差部２６が設けられ、該金属プレートに該位置決めブロックと対応する位置決め溝３３が形成され、該アースプレートの端末に回路板へ向かって伸びる湾曲部３４が設けられることを特徴とする。【選択図】図２
0003114428.tif 000002
【実用新案登録請求の範囲】
【請求項１】
両側に嵌合溝が形成され、一端に複数の端子溝が形成されると共に、該端子溝の付近に位置決めロッドが設けられる、断面コ字形のベースと、
前記端子溝に対してベースに設けられ、一側に端子溝と対応する端子が設けられると共に、他端に該端子と接続しながら外側へ延出される複数の接続端子が設けられ、中央にベースの位置決めロッドと対応する位置決め孔とアース端子を露出するための開口部が形成される回路板と、
前記回路板の上側に設けられることにより、該ベースとの間に挿入口が形成され、中央に回路板の開口部におけるアース端子に対するアースプレートが設けられ、両側にベースの嵌合溝と対応する嵌合プレートが設けられる金属プレートと、
前記回路板を保護するため該回路板の上側に設けられる上部カバーと、を備えるミニメモリカード用変換アダプタであって、
前記回路板の上側に位置決めブロックと、該金属プレートを位置決めるための位置決め段差部が設けられ、該金属プレートに該位置決めブロックと対応する位置決め溝が形成され、該アースプレートの端末に回路板へ向かって伸びる湾曲部が設けられることを特徴とするミニメモリカード用変換アダプタ。
【請求項２】
前記回路板の位置決めブロックの厚さが金属プレートの位置決め溝の厚さと等しいことを特徴とする請求項１に記載のミニメモリカード用変換アダプタ。
【考案の詳細な説明】
【技術分野】
【０００１】
本考案は、特にミニメモリカードから標準メモリカードに変換するミニメモリカード用変換アダプタに関するものである。
【背景技術】
【０００２】
一般のメモリカードは、例えばSMカード、MMCカード、SDカード、XDカード及びMSカードが夫々異なるサイズを有している。又、電子製品の小型化に対応するために、前記メモリカードは更にミニサイズが開発されている。例えば、SDカードは、標準SDカードの他、ミニSDカードを有し、これらメモリカードの電気特性が完全に対応しあうが、サイズが異なるので、標準SDカードの読み取り機械によってミニSDカードのデータを読み取るために、ミニメモリカード用変換アダプタを使用している。
【０００３】
図６に示すように、従来のミニメモリカード用変換アダプタは、断面コ字形のベース（６０）を有し、該ベース（６０）の一端に複数の平行な端子溝（６１）が形成され、該端子溝（６１）の付近に位置決めブロック（６２）が設けられ、該端子溝（６１）に位置決めブロック（６２）によって複数の端子（符号なし）を有する回路板（６３）が設けられ、該回路板（６３）の上側に金属プレート（６４）が設置されることにより、該金属プレート（６４）とベース（６０）の間にミニメモリカード（符号なし）を挿入するための挿入口（６５）が形成され、該回路板（６３）の上側に更に回路板（６３）を保護するための上部カバー（６６）が設けられ、又、前記端子と対する回路板（６３）の他側に挿入口（６５）へ向かって伸びると共に、該端子と接続する複数の接続端子（符号なし）が設けられ、ミニメモリカードを挿入口（６５）に挿入する際、該ミニメモリカードの端子が接続端子を通じて回路板（６３）の端子と接続することができる。
【考案の開示】
【考案が解決しようとする課題】
【０００４】
しかしながら、前記金属プレート（６４）と回路板（６３）の結合手段としては、該金属プレート（６４）に回路板（６３）に対して複数の貫通孔（符号なし）が形成され、該回路板（６３）に貫通孔に対応する突出ブロック（６７）が設けられ、該突出ブロック（６７）が貫通孔を貫通した後、該突出ブロック（６７）の自由端を拡大させることにより、金属プレート（６４）と回路板（６３）を結合させるから、非常に面倒であり、更に該突出ブロック（６７）の自由端を拡大した後、金属プレート（６４）の上面から突出し、該突出部分によって上部カバー（６６）を金属プレート（６４）に緊密に貼り合うことができなく、該上部カバー（６６）が金属プレート（６４）における回路板（６３）の端子と接触するためのアースプレート（６８）と接触できないことにより、接触不良という問題を発生しやすい。
【０００５】
そこで、案出されたのが本考案であって、簡単に組立てることができ、且つ接触不良を防止するミニメモリカード用変換アダプタを提供することを目的としている。
【課題を解決するための手段】
【０００６】
本願の請求項１の考案は、両側に嵌合溝が形成され、一端に複数の端子溝が形成されると共に、該端子溝の付近に位置決めロッドが設けられる、断面コ字形のベースと、前記端子溝に対してベースに設けられ、一側に端子溝と対応する端子が設けられると共に、他端に該端子と接続しながら外側へ延出される複数の接続端子が設けられ、中央にベースの位置決めロッドと対応する位置決め孔とアース端子を露出するための開口部が形成される回路板と、前記回路板の上側に設けられることにより、該ベースとの間に挿入口が形成され、中央に回路板の開口部におけるアース端子に対するアースプレートが設けられ、両側にベースの嵌合溝と対応する嵌合プレートが設けられる金属プレートと、前記回路板を保護するため該回路板の上側に設けられる上部カバーと、を備えるミニメモリカード用変換アダプタであって、前記回路板の上側に位置決めブロックと、該金属プレートを位置決めるための位置決め段差部が設けられ、該金属プレートに該位置決めブロックと対応する位置決め溝が形成され、該アースプレートの端末に回路板へ向かって伸びる湾曲部が設けられることを特徴とするミニメモリカード用変換アダプタ、を提供する。
【０００７】
本願の請求項２の考案は、前記回路板の位置決めブロックの厚さが金属プレートの位置決め溝と等しいことを特徴とする請求項１に記載のミニメモリカード用変換アダプタ、を提供する。
【考案の効果】
【０００８】
本考案は上記の課題を解決するものであり、回路板の上面に位置決め段差部が設けられるので、回路板と金属プレートを予め結合する必要がないので、組合には非常に便利であり、更に、金属プレートの上面に突出した異物が有しないので、上部カバーが金属プレートを押圧し、アースプレートの湾曲部が確実にアース端子と接触することにより、接触不良を防止できる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るミニメモリカード用変換アダプタの斜視図であり、図２は本考案に係るミニメモリカード用変換アダプタの分解斜視図であり、図３は本考案に係るミニメモリカード用変換アダプタの部分分解斜視図であり、図４は図１の４-４線の断面図であり、図５は図１の５-５線の断面図である。
【００１１】
図１及び図２に示すように、本考案に係るミニメモリカード用変換アダプタは、両側に嵌合溝（１１）が形成され、一端に複数の端子溝（１２）が形成されると共に、該端子溝（１２）の付近に位置決めロッド（１３）が設けられる、断面コ字形のベース（１０）と、前記端子溝（１２）に対してベース（１０）に設けられ、一側に端子溝（１２）と対応する端子（符号なし）が設けられると共に、他端に該端子と接続しながら外側へ延出される複数の接続端子（２１）が設けられ、中央にベース（１０）の位置決めロッド（１３）と対応する位置決め孔（２２）とアース端子（２３）を露出するための開口部（２４）が形成される回路板（２０）と、前記回路板（２０）の上側に設けられることにより、該ベース（１０）との間に挿入口（１４）が形成され、中央に回路板（２０）の開口部（２４）におけるアース端子（２３）に対するアースプレート（３１）が設けられ、両側にベース（１０）の嵌合溝（１１）と対応する嵌合プレート（３２）が設けられる金属プレート（３０）と、前記回路板（２０）を保護するため該回路板（２０）の上側に設けられる上部カバー（４０）と、を備える。
【００１２】
前記回路板（２０）の上側に厚さが下記位置決め溝（３３）の厚さと等しい位置決めブロック（２５）と、該金属プレート（３０）を位置決めるための位置決め段差部（２６）が設けられ、該金属プレート（３０）に該位置決めブロック（２５）と対応する位置決め溝（３３）が形成され、該アースプレート（３１）の端末に回路板（２０）へ向かって伸びる湾曲部（３４）が設けられる。
【００１３】
又、図２乃至図５に示すように、本考案に係るミニメモリカード用変換アダプタを組合わせる際、該位置決めロッド（１３）が位置決め孔（２２）を貫通することにより、回路板（２０）の端子をベース（１０）の端子溝（１２）に対応し合い、金属プレート（３０）の側辺を位置決め段差部（２６）と接触した後、該金属プレート（３０）をベース（１０）へ接近させることにより、位置決めブロック（２５）を位置決め溝（３３）に挿入させると共に、湾曲部（３４）を開口部（２４）から露出したアース端子（２３）と接触させ、金属プレート（３０）の両側における嵌合プレート（３２）をベース（１０）の嵌合溝（１１）に嵌合させ、最後に上部カバー（４０）をベース（１０）と結合することにより、回路板（２０）を保護させる。
【００１４】
又、図２、図４及び図５に示すように、本考案に係るミニメモリカード用変換アダプタは、その回路板（２０）の上面に位置決め段差部（２６）が設けられるので、回路板（２０）と金属プレート（３０）を予め結合する必要がないので、組合には非常に便利であり、更に、金属プレート（３０）の上面に突出した異物が有しないので、上部カバー（４０）が金属プレート（３０）を押圧し、アースプレート（３１）の湾曲部（３４）が確実にアース端子（２３）と接触することにより、接触不良を防止できる。
【００１５】
本考案は上記の構成を有するので、回路板の上面に位置決め段差部が設けられるので、回路板と金属プレートを予め結合する必要がないので、組合には非常に便利であり、更に、金属プレートの上面に突出した異物が有しないので、上部カバーが金属プレートを押圧し、アースプレートの湾曲部が確実にアース端子と接触することにより、接触不良を防止できる。
【図面の簡単な説明】
【００１６】
【図１】本考案に係るミニメモリカード用変換アダプタの斜視図である。
【図２】本考案に係るミニメモリカード用変換アダプタの分解斜視図である。
【図３】本考案に係るミニメモリカード用変換アダプタの部分分解斜視図である。
【図４】図１の４-４線の断面図である。
【図５】図１の５-５線の断面図である。
【図６】従来のミニメモリカード用変換アダプタを示す分解斜視図である。
【符号の説明】
【００１７】
１０        ベース
１１        嵌合溝
１２        端子溝
１３        位置決めロッド
１４        挿入口
２０        回路板
２１        接続端子
２２        位置決め孔
２３        アース端子
２４        開口部
２５        位置決めブロック
２６        位置決め段差部
３０        金属プレート
３１        アースプレート
３２        嵌合プレート
３３        位置決め溝
３４        湾曲部
４０        上部カバー
６０        ベース
６１        端子溝
６２        位置決めブロック
６３        回路板
６４        金属プレート
６５        挿入口
６６        上部カバー
６７        突出ブロック
６８        アースプレート
【図１】
0003114428.tif 000003
【図２】
0003114428.tif 000004
【図３】
0003114428.tif 000005
【図４】
0003114428.tif 000006
【図５】
0003114428.tif 000007
【図６】
0003114428.tif 000008